(57)【要約】【課題】  鼻隠し止着部材を任意の位置で折り畳めるようにして、収納効率及び運搬効率を向上させる。【解決手段】  屋根板Ｃに取り付けられる細長い取付板２、取付板２の長辺に沿って形成された立上り片４を有する屋根板取付部材１と、鼻隠し板Ｄで覆われる細長い支持板１１、支持板１１の両短辺に折り曲げて形成された鼻隠し板止着用の止着片１２、支持板１１の長辺に沿って形成された折曲片１３を有する鼻隠し止着部材１０とを備え、屋根板取付部材１の立上り片４の外側に鼻隠し止着部材１０の折曲片１３が回動可能に連結されて、鼻隠し止着部材１０が屋根板取付部材１に対して起立又は折り畳み可能に構成された鼻隠し取付用具において、鼻隠し止着部材１０の支持板１１が屋根板取付部材１の取付板２の上に平行して折り畳めるよう、屋根板取付部材１の立上り片４の所定長さ範囲に亘って段差部４ａを形成する。【選択図】図１
2007032187.tif 000002
【特許請求の範囲】
【請求項１】
屋根板（Ｃ）に取り付けられる細長い取付板（２）、該取付板（２）の長辺に沿って形成された立上り片（４）を有する屋根板取付部材（１）と、
鼻隠し板（Ｄ）で覆われる細長い支持板（１１）、該支持板（１１）の両短辺に折り曲げて形成された鼻隠し板止着用の止着片（１２）、支持板（１１）の長辺に沿って形成された折曲片（１３）を有する鼻隠し止着部材（１０）とを備え、
屋根板取付部材（１）の立上り片（４）の外側に鼻隠し止着部材（１０）の折曲片（１３）が回動可能に連結されて、鼻隠し止着部材（１０）が屋根板取付部材（１）に対して起立又は折り畳み可能に構成された鼻隠し取付用具において、
鼻隠し止着部材（１０）の支持板（１１）が屋根板取付部材（１）の取付板（２）の上に平行して折り畳めるよう、屋根板取付部材（１）の立上り片（４）の所定長さ範囲に亘って段差部（４ａ）が形成されてなることを特徴とする鼻隠し取付用具。
【請求項２】
屋根板（Ｃ）に取り付けられる細長い取付板（２）、該取付板（２）の長辺に沿って形成された立上り片（４）を有する屋根板取付部材（１）と、
鼻隠し板（Ｄ）で覆われる細長い支持板（１１）、該支持板（１１）の両短辺に折り曲げて形成された鼻隠し板止着用の止着片（１２）、支持板（１１）の長辺に沿って形成された折曲片（１３）を有する鼻隠し止着部材（１０）とを備え、
屋根板取付部材（１）の立上り片（４）及び鼻隠し止着部材（１０）の折曲片（１３）が回動可能に連結されて、鼻隠し止着部材（１０）が屋根板取付部材（１）に対して起立又は折り畳み可能に構成された鼻隠し取付用具において、
屋根板取付部材（１）の立上り片（４）の内側に鼻隠し止着部材（１０）の折曲片（１３）が配置されると共に、鼻隠し止着部材（１０）が回動可能となるよう、取付板（２）と立上り片（４）とで形成される角部にスリット（２０）が形成されてなることを特徴とする鼻隠し取付用具。
【発明の詳細な説明】
【技術分野】
【０００１】
本発明は、屋根の軒先に配設される鼻隠し板を取り付けるための鼻隠し取付用具に関する。
【背景技術】
【０００２】
従来のこの種の鼻隠し取付用具は、屋根板に取り付けられる断面Ｌ字形状の屋根板取付部材と、鼻隠し板が取り付けられる断面Ｌ字形状の鼻隠し止着部材とを備え、屋根板取付部材及び鼻隠し止着部材が回動可能に連結されて、鼻隠し止着部材が屋根板取付部材に対して起立又は折り畳み可能に構成されているのが一般的である。
【０００３】
そして、例えば、鼻隠し止着部材の折曲片の長手方向に長穴を形成して、垂木、軒桁、屋根材、屋根板などが隠れるように鼻隠し止着部材の位置を調整すると共に、長穴の端部に凹部を形成して、屋根板取付部材の下側に鼻隠し止着部材が折り畳めるようにしたものが公知になっている（特許文献１）。
【０００４】
ところが、特許文献１の場合、鼻隠し止着部材が屋根板取付部材に対して平行して折り畳めるような構成にはなっていないので、鼻隠し止着部材を折り畳んだ際、鼻隠し止着部材の一部が屋根板取付部材に当接し、この当接部位が突出した状態で保管・運搬される。このため、突出した当接部位が保管・運搬に際して邪魔になり、保管・運搬に支障をきたすことになる。
【０００５】
この問題を解消すべく、鼻隠し止着部材が屋根板取付部材に対して平行して折り畳めるような構成を備えたものとして、例えば屋根板取付部材に切欠きを形成し、該切欠きによって、鼻隠し止着部材の当接部位の突出を回避するようにしたものが公知になっている（特許文献２）。
【特許文献１】登録実用新案第３０２８０６４号公報
【特許文献２】特許第３６２１７０１号公報
【発明の開示】
【発明が解決しようとする課題】
【０００６】
しかしながら、上記特許文献２の鼻隠し取付用具は、切欠きの位置によって、鼻隠し止着部材の収納される長さが規定されるので、ユーザが所望する位置に調整して収納できないという問題がある。
【０００７】
そこで、本発明は、上記問題を鑑み、鼻隠し止着部材を屋根板取付部材の上に平行して折り畳めることに加えて、鼻隠し止着部材を所望する位置に調整して収納でき、収納効率及び運搬効率を向上できる鼻隠し取付用具を提供することを目的とする。
【課題を解決するための手段】
【０００８】
本発明に係る鼻隠し取付用具は、屋根板Ｃに取り付けられる細長い取付板２、該取付板２の長辺に沿って形成された立上り片４を有する屋根板取付部材１と、鼻隠し板Ｄで覆われる細長い支持板１１、該支持板１１の両短辺に折り曲げて形成された鼻隠し板止着用の止着片１２、支持板１１の長辺に沿って形成された折曲片１３を有する鼻隠し止着部材１０とを備え、屋根板取付部材１の立上り片４の外側に鼻隠し止着部材１０の折曲片１３が回動可能に連結されて、鼻隠し止着部材１０が屋根板取付部材１に対して起立又は折り畳み可能に構成された鼻隠し取付用具において、鼻隠し止着部材１０の支持板１１が屋根板取付部材１の取付板２の上に平行して折り畳めるよう、屋根板取付部材１の立上り片４の所定長さ範囲に亘って段差部４ａを形成するようにしたものである。
【０００９】
鼻隠し止着部材１０の折曲片１３の回動支点が屋根板取付部材１の立上り片４の外側に位置すると、本来であれば、鼻隠し止着部材１０を折り畳もうとする先に屋根板取付部材１の立上り片４が位置し、鼻隠し止着部材１０の止着片１２が屋根板取付部材１の立上り片４に干渉してしまう。ところが、本発明においては、この干渉を立上り片４の段差部４ａによって回避している。即ち、鼻隠し止着部材１０を折り畳んだ際、屋根板取付部材１の立上り片４の上段に、鼻隠し止着部材１０の支持板１１が当接し、立上り片４の下段に、止着片１２の先端部が位置し、鼻隠し止着部材１０が屋根板取付部材１に対して平行して折り畳まれる。
【００１０】
しかも、立上り片４における段差部４ａが所定長さ範囲に亘って形成されることで、屋根板取付部材１から突出する鼻隠し止着部材１０の長さを任意に調整できるため、全体をコンパクトに収納できて持ち運び、保管に最適な構成にすることができる。
【００１１】
また、本発明に係る鼻隠し取付用具は、屋根板取付部材１の立上り片４の内側に鼻隠し止着部材１０の折曲片１３が配置されると共に、鼻隠し止着部材１０が回動可能となるよう、取付板２と立上り片４とで形成される角部にスリット２０を形成したものである。
【００１２】
この場合、屋根板取付部材１の立上り片４の内側において、鼻隠し止着部材１０の折曲片１３が回動するので、折り畳んだ際、鼻隠し止着部材１０の支持板１１が屋根板取付部材１の取付板２の上に平行して位置すると共に、折曲片１３が立上り片４の内側に平行して位置するので、鼻隠し止着部材１０を屋根板取付部材１に沿って自在に移動することができ、任意の位置に容易に調整できて収納できる。
【００１３】
しかも、取付板２と立上り片４とで形成される角部にスリット２０が形成されることで、鼻隠し止着部材１０の折曲片１３がこのスリット２０内に入り込むようになっているため、鼻隠し止着部材１０を屋根板取付部材１に対して支障なく起立させることができる。
【発明の効果】
【００１４】
以上のように、本発明の鼻隠し取付用具によれば、屋根板取付部材の立上り片の外側に鼻隠し止着部材の折曲片を回動可能に連結した上で屋根板取付部材の立上り片に段差部を形成したり、屋根板取付部材の立上り片の内側に鼻隠し止着部材の折曲片を回動可能に連結することで、鼻隠し止着部材を屋根板取付部材の上に平行して折り畳むことができることに加えて、屋根板取付部材に対する鼻隠し止着部材の突出長さを任意に調整できるので、収納効率及び運搬効率を効果的に向上させることができる。
【発明を実施するための最良の形態】
【００１５】
（実施形態１）
以下、本発明の実施形態１に係る鼻隠し取付用具について、添付図面を参照しつつ説明する。なお、便宜上各図面において、その上下左右を各部材の上下方向及び左右方向とし、これに対して直交する向きを前後方向とする。
【００１６】
本実施形態に係る鼻隠し取付用具は、図１の（イ）〜（ニ）及び図２（イ）、（ロ）に示すように、断面Ｌ字形状の屋根板取付部材１と、該屋根取付部材と略同一断面形状の鼻隠し止着部材１０とから構成されている。
屋根板取付部材１は、屋根板Ｃに取り付けられる細長い取付板２と、該取付板２の長辺に沿って形成された立上り片４とを有する。取付板２には、後述する屋根板Ｃに取り付けるための複数の略楕円状の挿通穴３，…が穿設されている。立上り片４の端部には、支軸としてのボルト５が設けられている。このボルト５の先端部は、立上り片４の外側に向けて突出している。
【００１７】
即ち、立上り片４の外側に、後述する鼻隠し止着部材１０の折曲片１３の回動支点が位置することになる。つまり、屋根板取付部材１の立上り片４の外側に、鼻隠し止着部材１０の折曲片１３が位置することで、鼻隠し止着部材１０の止着片１２が屋根板取付部材１の立上り片４を跨るようになり、鼻隠し止着部材１０を折り畳んだ際、鼻隠し止着部材１０の止着片１２が、屋根板取付部材１の立上り片４に当接することになる。この当接を回避して鼻隠し止着部材１０の支持板１１が屋根板取付部材１の取付板２の上に平行して折り畳めるように、立上り片４の他端側に所定長さ範囲に亘って段差部４ａが形成されている。
【００１８】
鼻隠し止着部材１０は、鼻隠し板Ｄで覆われる細長い支持板１１と、該支持板１１の両短辺に折り曲げて形成された鼻隠し板止着用の止着片１２，１２と、支持板１１の長辺に沿って形成された折曲片１３とを有する。
【００１９】
折曲片１３には、垂木や軒桁などの屋根材Ａ、及び、屋根板Ｃが隠れるように鼻隠し止着部材１０の位置を調整するための長穴１４が長手方向に形成されている。さらに、該長穴１４には、立上り片４のボルト５が挿通されると共に、鼻隠し止着部材１０の回転中心をシフトさせるための凹部１５が端部に形成されており、これらによって、屋根板取付部材１の上に鼻隠し止着部材１０が折り畳めるようになっている。なお、長穴１４の長さ寸法は、位置調整のみを考慮した寸法になっているが、折り畳んだ状態の鼻隠し止着部材１０を屋根板取付部材１に収容できる寸法にしてもよい。
【００２０】
そして、ボルト５にはナット６が螺合しており、鼻隠し板Ｄ及び屋根板Ｃの取付時、鼻隠し止着部材１０と屋根板取付部材１とが略Ｔ字形状、即ち鼻隠し止着部材１０の支持板１１が屋根板取付部材１の取付板２に対して直交する位置で固定できるようになっている。
【００２１】
つぎに使用態様につき図３を参照して説明する。複数の垂木Ａ，…に屋根板Ｃを敷設し、該屋根板Ｃに、そのねじ部が外部に突出するように複数のボルトＢを取り付ける一方、鼻隠し取付用具を予めＴ字形状、即ち屋根板取付部材１に対して鼻隠し止着部材１０が直交するように仮固定しておく。
【００２２】
この状態で、屋根板ＣのボルトＢ，…に対して、屋根板取付部材１の挿通穴３，…を挿通できるように位置合わせして、取付板２を屋根板Ｃの上面に当接し、その状態でボルトＢ…の先端部にナットＮ，…を螺合させて、取付板２を屋根板Ｃに締結固定する。このようにして複数の鼻隠し取付用具を所定の間隔をおいて屋根板Ｃに固定する。
【００２３】
続いて、鼻隠し止着部材１０の上下の止着片１２，１２に、鼻隠し板Ｄの折曲片の内面を当接して、鼻隠し板Ｄで鼻隠し止着部材１０の支持板１１を覆うように取り付ける。その後、鼻隠し板Ｄを、垂木Ａ，…の先端部が隠れる位置に調整してナットＮ，…を締め付けて鼻隠し止着部材１０を固定する。
【００２４】
また、鼻隠し取付用具を保管・運搬する際は、ナット６を緩めて鼻隠し止着部材１０を回動可能にし、鼻隠し止着部材１０を長穴１４に沿って凹部１５側に移動した後、該長穴１４の凹部１５において、鼻隠し止着部材１０を回動させ、一側（上側）の止着片１２を段差部４ａに位置させる。この際、鼻隠し止着部材１０の支持板１１が屋根板取付部材１の取付板２に平行になる。つまり、鼻隠し止着部材１０と屋根板取付部材１がコンパクトにすっきりと収納される。
【００２５】
（実施形態２）
つぎに実施形態２につき、図４（イ）〜（ハ）及び図５（イ）、（ロ）を参照して説明する。これらの図において、図１乃至図３と同一符号は同一若しくは相当するものを示し、異なる点は、立上り片４の内側に鼻隠し止着部材１０の折曲片１３を配置すると共に、鼻隠し止着部材１０を回動できるように、取付板２と立上り片４とで形成される角部に、折曲片１３の幅寸法に相当するスリット２０を形成するようにした点であり、上記実施形態１と同様に、鼻隠し止着部材１０を屋根板取付部材１に対してきれいに折り畳むことができる。
【００２６】
なお、前記各実施形態１，２の場合、鼻隠し止着部材１０及び屋根板取付部材１の材質は、特に限定はしていないが、例えば金属、合成樹脂、木材（間伐材）などであってもよい。
【００２７】
また、鼻隠し止着部材１０及び屋根板取付部材１の連結部材として、ボルト５及びナット６を使用したが、これに限定されるものではなく、鼻隠し止着部材１０及び屋根板取付部材１を凹凸嵌合によって回動可能に支持し、Ｔ字形状になる位置でロックするようにしてもよい。要するに、鼻隠し止着部材１０及び屋根板取付部材１を回動可能に支持できると共に、Ｔ字形状に固定支持できる構成であればよい。
【図面の簡単な説明】
【００２８】
【図１】（イ）〜（ニ）は、本発明の実施形態１に係る鼻隠し取付用具を示した平面図、正面図、側面図、折り畳み状態を示した図である。
【図２】（イ）、（ロ）は、図１の鼻隠し取付用具を示した斜視図である。
【図３】鼻隠し取付用具の実装状態を示した側断面図である。
【図４】（イ）〜（ハ）は、本発明の実施形態２に係る鼻隠し取付用具を示した平面図、正面図、側面図である。
【図５】（イ）、（ロ）は、図４の鼻隠し取付用具を示した斜視図である。
【符号の説明】
【００２９】
１…屋根板取付部材、２…取付板、３…挿通穴、４…立上り片、４ａ…段差部、５…ボルト（支軸）、６…ナット、１０…鼻隠し止着部材、１１…支持板、１２…止着片、１３…折曲片、１４…長穴、１５…凹部、２０…スリット、Ａ…屋根材、Ｂ…ボルト、Ｃ…屋根板、Ｄ…鼻隠し板、Ｎ…ナット
【図１】
2007032187.tif 000003
【図２】
2007032187.tif 000004
【図３】
2007032187.tif 000005
【図４】
2007032187.tif 000006
【図５】
2007032187.tif 000007